(57)【要約】【課題】屋根上に後付けされる設置物固定用の取付金具が、折板屋根の外側輪郭を大きくはみ出ないように取り付けできないことである。【解決手段】下向きの操作を行うためのハンドルと、このハンドルに連続しハンドルの下向き操作により左回転する上方に開口した湾曲部とを持ち、この湾曲部が折板屋根の巻締め部の内部に嵌合する輪郭形状を備えている。【選択図】図２
2013241821.tif 000002
【特許請求の範囲】
【請求項１】
下向きの操作を行うためのハンドルと、このハンドルに連続しハンドルの下向き操作により左回転する上方に開口した湾曲部とを持ち、この湾曲部が折板屋根の巻締め部の内部に嵌合する輪郭形状を備えた屋根上設置物の取付け金具。
【請求項２】
下向きの操作用のハンドルを用い、他方の端部に形成された湾曲部の一部を折板屋根の肩部上に置いたまま梃子にして湾曲部を左回転させ、湾曲部の先端から折板屋根の巻締め部内に挿入していき、最終的に湾曲部の全体を巻締め部内に嵌合させることにより巻締め部と湾曲部を一体化する屋根上設置物の取付け金具の設置方法。
【発明の詳細な説明】
【技術分野】
【０００１】  本発明は、屋根上設置物の取付金具とその設置方法に係る。
【背景技術】
【０００２】  屋根上に物を設置する場合、屋根面に金具を固定し、この金具で設置物を間接的に保持するか又は直接固定する止め方が一般的である。
固定を目的とする用途ではこのやり様で問題はないが、金具自体を目立たないように隠したり大きく突出させたくない場合には障害となる。
例えば、屋根の外面にシート状の膜体を被せシート上に液体を流す屋根融雪や屋根冷却の用途において、金具によりシート表面を変形させると液体の流れが邪魔され金具の設置個所では流水の管理を行えない。
実際の施工にあたっては、シートを設置した後でシート上部を切り開き、金具を差し込んで屋根の頂部にねじで固定し、シートと金具の接触面にシーラントを塗り込んで外側から防水処理することが行われる。しかし、この方法では現場での加工箇所が多いため大変な労作を要する。例えば、金具の使用箇所が１０平米（幅１ｍ×長さ１０ｍ）当たり１箇所として、５０００平米の折板屋根では総数が５００箇所となり、膨大な作業量となって工事経費も嵩むことになる。
【先行技術文献】
【特許文献】
【０００３】
【特許文献１】特開２０００−３３６８５７
【特許文献２】特開２００６−３２２２２７
【発明の概要】
【発明が解決しようとする課題】
【０００４】  解決しようとする第１の問題点は、屋根上に後付けされる設置物固定用の取付金具が折板屋根の外側輪郭を大きくはみ出ないようにできない点である。
第２の問題点は、固定金具の取付強度は材厚と締付ボルトの締め付け力により左右されるが、この要求は金具のサイズを大きくすることにつながり、コンパクト化することが難しい。
【課題を解決するための手段】
【０００５】  屋根材自身で金具を保持させるために、金具の一方の端部を屋根材と噛み合わせるようにアンカー止めすることを最も主要な特徴とする。
【発明の効果】
【０００６】  本発明によれば、取付金具の一方の端部を操作して梃子の原理で他方の端部を回転させながらせ屋根材の隙間に差し込み嵌合させることができるので、コンパクトな取付金具と屋根材とをワンタッチで一体化できるという利点がある。
【図面の簡単な説明】
【０００７】
【図１】  本発明に係る取付金具の一例を示す斜視説明図
【図２】  取付金具の取扱い方法を示した説明図
【図３】  巻締め部に勘合して保持された状態を示す説明図
【図４】  取付金具に配管固定具を取り付けた状態を示す説明図
【図５】  固定ねじを備えた他の実施例を示す説明図
【図６】  固定ねじで巻締め部の袖を取付金具に対し押圧した状態を示す説明図
【発明を実施するための形態】
【０００８】  以下、本発明の実施の形態を図１〜図６に基づいて説明する。
【０００９】  図１に示すように、一方の端部にはハンドル１を持ち、他方の端部には開口した湾曲部２が形成されている。折板屋根の肩部に乗せた状態で、このハンドル１を下向きに押し下げることで他方の端部を回転させることができる。図示の例では、ハンドルは端部をＶ字形に折り曲げたフランジの形態をしているが、このように一体構造にしておいた方がコスト的に有利である。ハンドルは、図２の矢印の向きに動かすことで、他方の端部の湾曲部２を左回転させるように操作される。
【００１０】  ハンドルはフラットバーの形態をしていてもかまわないが、このフラットバーには予めスタッドねじを立設しておく等して、後で屋根上設置物の固定用の補助具をねじ締めにより固定できるようにしておく。Ｖ字形のフランジやフラットバーの形態をしたハンドル１は、手で押したり工具を利用して押し下げるようにして操作される。
【００１１】  図２は、折板屋根の肩部上にあって、ハンドル１を押し下げることにより湾曲部２の一部を梃子として湾曲部を左回転させ、巻締め部３の内部に湾曲部２の先端から押し込んでいく様子を示している。湾曲部２は、上部２ａと側部２ｂが巻締め部３の内面に接するように差し込まれて湾曲部の全体が巻締め部の内部空間に嵌合している。図３は、湾曲部の輪郭形状が巻締め部の内壁に接している状態を示している。湾曲部を巻締め部の内部空間の内面に対しプレスフィットさせておけば保持力が大きくなるので好ましいが、そのようにするには、ハンドルの湾曲部２の膨らみは巻締め部の内部空間の輪郭より予め大きめに成形加工しておく必要がある。
【００１２】  その結果、巻締め部３の袖３ａは湾曲部２の内面にプレスフィットし、袖３ａの先端が湾曲部の内面を押さえる働きをするので、湾曲部は内外面を複数方向から支持されることになる。このため、ハンドルに外からの力が加わっても、金具を装着したのとは逆向きの力が働かない限り金具は元の位置に逆戻りして巻締め部から外れることはない。
【００１３】
2013241821.tif 000003
の設置形態によれば、配管４から加わる主たる力は図４で見て前後方向であり、取付金具の底面と湾曲部２の上部２ａがこの力に抗する働きをする。
【００１４】  図５は、固定手段６を付加した構造の取付金具の具体例を示している。固定手段６は、湾曲部付近に溶接されたプレート６ａと締付けボルト６ｂから構成されている。図示した状態に取り付けた固定手段６は、取付金具の取付け時、回転運動の妨げとなることはない。図６はボルト６ｂを締めて袖３ａを湾曲部２の内面に圧着させた状態を示している。ボルト６ｂを回す工具はハンドルと湾曲部の間から挿入することができる。固定手段を用いれば、取付金具の安定性はさらに向上する。
【００１５】  図２と図５に示す取付金具の装着初期の段階において、湾曲部２の先端は巻締め部３の袖３ａの先端に形成された隙間から巻締め部内に挿入される。この隙間は、袖３ａの先端に予め形成されているものか、または人為的にこじ開けられた隙間である。
【符号の説明】
【００１６】  １  ハンドル
２  湾曲部
３  巻締め部
３ａ  袖
４  パイプ
５  保持具
６  固定手段
６ａ  プレート
６ｂ  ボルト
【図１】
2013241821.tif 000004
【図２】
2013241821.tif 000005
【図３】
2013241821.tif 000006
【図４】
2013241821.tif 000007
【図５】
2013241821.tif 000008
【図６】
2013241821.tif 000009